Podtech/llm-jp-corpus-v4-ja_patent huggingface dataset:
【手続補正書】
【提出日】平成30年8月17日(2018.8.17)
【手続補正１】
【補正対象書類名】特許請求の範囲
【補正対象項目名】全文
【補正方法】変更
【補正の内容】
【特許請求の範囲】
【請求項１】
コンピュータシステムを介したイベントベース画像処理のコンピュータによって実現可能な方法において、
複数のセンサイベントを受信することと、前記複数のセンサイベントの各センサイベントは、１つのアドレスおよび１つのタイムスタンプに対応する、
前記複数のセンサイベントから第１のセンサイベントを選択することと、
前記複数のセンサイベントからの第２のセンサイベントが、前記第１のセンサイベントに対応するタイムスタンプから所定の時間内に受信されることを決定することと、
前記第２のセンサイベントが前記所定の時間内に受信されることに基づいて、前記第１のセンサイベントと、前記第２のセンサイベントとを空間的にダウンサンプリングするが、前記第２のセンサイベントが前記所定の時間内に受信されない場合には、空間的にダウンサンプリングしないことと、
前記ダウンサンプリングされた出力をカーネルと重畳することと
を備えたコンピュータによって実現可能な方法。
【請求項２】
重畳する前記ステップが、各カーネル値を対応する画像ピクセル値と乗算することにより、画像内のピクセルの値を計算することを備える、請求項１のコンピュータによって実現可能な方法。
【請求項３】
前記ダウンサンプリングに少なくとも部分的に基づいて前記第１のセンサイベントおよび前記第２のセンサイベントに関するピクセル値を更新することをさらに備えた、請求項１のコンピュータによって実現可能な方法。
【請求項４】
２以上のイベントが１つのセンサから受信され、前記イベントの１つまたは複数が、時間ダウンサンプリングに基づいてドロップされる、請求項３のコンピュータによって実現可能な方法。
【請求項５】
空間的にダウンサンプリングすることは、オリジナルの座標系をダウンサンプリングされた座標系にマッピングすることを備える、請求項１のコンピュータによって実現可能な方法。
【請求項６】
空間的にダウンサンプリングすることは、前記第１のセンサイベントおよび前記第２のセンサイベントに対応する各アドレスの少なくとも１つの最下位ビットをドロップすることを備える、請求項５のコンピュータによって実現可能な方法。
【請求項７】
前記第１のセンサイベントおよび前記第２のセンサイベントに対応する複数のタイムスタンプの関数として１つのタイムスタンプ値を計算することにより時間的にダウンサンプリングすることをさらに備えた、請求項１のコンピュータによって実現可能な方法。
【請求項８】
所定のタイムスパン内に、共通のアドレスを備えた複数のセンサイベントが異なるタイムスタンプを有するとき、特定のタイムスタンプに対応する特定のセンサイベントを選択することにより時間的にダウンサンプリングすることをさらに備えた、請求項１の方法。
【請求項９】
イベントベース画像処理のための装置において、
複数のセンサイベントを受信する手段と、前記複数のセンサイベントの各センサイベントは、１つのアドレスおよび１つのタイムスタンプに対応する、
前記複数のセンサイベントから第１のセンサイベントを選択する手段と、
前記複数のセンサイベントからの第２のセンサイベントが、前記第１のセンサイベントに対応するタイムスタンプから所定の時間内に受信されることを決定する手段と、
前記第２のセンサイベントが前記所定の時間内に受信されることに基づいて、前記第１のセンサイベントと、前記第２のセンサイベントとを空間的にダウンサンプリングするが、前記第２のセンサイベントが前記所定の時間内に受信されない場合には、空間的にダウンサンプリングしない手段と、
前記ダウンサンプリングされた出力をカーネルと重畳する手段と
を備えた装置。
【請求項１０】
前記ダウンサンプリングに少なくとも部分的に基づいて前記第１のセンサイベントおよび前記第２のセンサイベントに関するピクセル値を更新する手段をさらに備えた、請求項９の装置。
【請求項１１】
空間的にダウンサンプリングする前記手段は、オリジナルの座標系をダウンサンプリングされた座標系にマッピングする手段を備える、請求項９の装置。
【請求項１２】
空間的にダウンサンプリングする前記手段は、前記第１のセンサイベントおよび前記第２のセンサイベントに対応する各アドレスの少なくとも１つの最下位ビットをドロップする手段を備える、請求項１１の装置。
【請求項１３】
前記第１のセンサイベントおよび前記第２のセンサイベントに対応する複数のタイムスタンプの関数として１つのタイムスタンプ値を計算することにより時間的にダウンサンプリングする手段をさらに備えた、請求項９の装置。
【請求項１４】
所定のタイムスパン内に、共通のアドレスを備えた複数のセンサイベントが異なるタイムスタンプを有するとき、特定のタイムスタンプに対応する特定のセンサイベントを選択することにより時間的にダウンサンプリングする手段をさらに備えた、請求項９の装置。
【請求項１５】
プログラムコードが記録された非一時的コンピュータ可読媒体において、イベントベース画像処理に関する前記プログラムコードは、プロセッサにより実行され、
複数のセンサイベントを受信するためのプログラムコードと、前記複数のセンサイベントの各センサイベントは、１つのアドレスおよび１つのタイムスタンプに対応する、
前記複数のセンサイベントから第１のセンサイベントを選択するためのプログラムコードと、
前記複数のセンサイベントからの第２のセンサイベントが、前記第１のセンサイベントに対応するタイムスタンプから所定の時間内に受信されることを決定するためのプログラムコードと、
前記第２のセンサイベントが前記所定の時間内に受信されることに基づいて、前記第１のセンサイベントと、前記第２のセンサイベントとを空間的にダウンサンプリングするが、前記第２のセンサイベントが前記所定の時間内に受信されない場合には、空間的にダウンサンプリングしないためのプログラムコードと、
前記ダウンサンプリングされた出力をカーネルと重畳するためのプログラムコードと
を備えた、非一時的コンピュータ可読媒体。
【手続補正書】
【提出日】平成30年8月16日(2018.8.16)
【手続補正１】
【補正対象書類名】特許請求の範囲
【補正対象項目名】全文
【補正方法】変更
【補正の内容】
【特許請求の範囲】
【請求項１】
ポータブルコンピューティングデバイス(PCD)におけるシステムオンチップ(SoC)内の複数の処理サブシステムのうちの少なくとも1つの処理サブシステムでの外部アクセス検出および回復のための方法であって、
メモリ、センサ、およびモニタモジュールと通信しているプロセッサを備えた、前記SoCの少なくとも2つの処理サブシステムの各々を、前記SoCが低電力状態である間、互いおよび前記SoCの残部とは独立しておよび電気的に絶縁されて第1のモードで動作させるステップと、
前記SoCの前記少なくとも2つの処理サブシステムの各々において、
前記モニタモジュールを用いて、前記サブシステムの外部の構成要素への前記プロセッサによるアクセス要求を検出するステップと、
前記サブシステムの外部の前記構成要素への前記検出されたアクセス要求に応答して、前記サブシステムの外部の前記構成要素への前記検出されたアクセス要求が、前記センサからの信号に基づいているかどうかを、前記プロセッサによって決定するステップであって、そうである場合に：
前記SoCを全電力状態に入らせ、
前記少なくとも1つの処理サブシステムの前記モニタモジュールから前記プロセッサに、前記構成要素が前記サブシステムの外部にあることを前記プロセッサに通知する通知信号を送り、
前記少なくとも1つの処理サブシステムを、前記少なくとも1つの処理サブシステムが前記サブシステムの外部の前記構成要素にアクセスすることを可能にする第2のモードで動作させる、ステップと、
前記サブシステムの外部の前記構成要素への前記検出されたアクセス要求に応答して、前記サブシステムの外部の前記構成要素への前記検出されたアクセス要求が、前記サブシステムのプロセッサ上または前記サブシステム内で動作している何らかのコードまたはルーチンにおけるエラーの結果であるかどうかを、前記プロセッサによって決定するステップであって、そうである場合に：
前記モニタモジュールからの受信された通知信号に応答して、前記少なくとも1つの処理サブシステムの前記プロセッサを用いてエラーを訂正しようと努めるためにエラー処理ルーチンを起動する、ステップと
を含む、方法。
【請求項２】
前記SoCを全電力状態に入らせるステップが、
前記サブシステムの前記モニタモジュールから前記SoCの電力マネージャに信号を送って、前記電力マネージャをアクティブにするステップ
をさらに含む、請求項1に記載の方法。
【請求項３】
前記モニタモジュールが、状態機械と通信しているハードウェアモニタを備え、前記サブシステムを前記第2のモードで動作させるステップが、前記モニタモジュールが前記状態機械をアクティブにして、前記サブシステムの絶縁ハードウェアを無効にするステップをさらに含む、請求項1に記載の方法。
【請求項４】
前記状態機械が、前記モニタモジュールの外部にある、請求項3に記載の方法。
【請求項５】
前記サブシステムの外部の前記構成要素がメモリである、請求項1に記載の方法。
【請求項６】
前記センサが、前記PCDの加速度計またはジャイロスコープのうちの少なくとも1つと通信している、請求項1に記載の方法。
【請求項７】
請求項1〜6のいずれか一項に記載の方法を実施するための命令を含むコンピュータプログラム。
【請求項８】
ポータブルコンピューティングデバイス(PCD)におけるシステムオンチップ(SoC)内の複数の処理サブシステムのうちの少なくとも1つの処理サブシステムでの外部アクセス検出および回復のためのコンピュータシステムであって、
メモリ、およびセンサと通信しているプロセッサを備えた、前記SoCの少なくとも2つの処理サブシステムの各々を、前記SoCが低電力状態である間、互いおよび前記SoCの残部とは独立しておよび電気的に絶縁されて第1のモードで動作させるための手段を備え、
前記SoCの前記少なくとも2つの処理サブシステムの各々が、
前記サブシステムの外部の構成要素への前記プロセッサによるアクセス要求を検出するための手段と、
前記サブシステムの外部の前記構成要素への前記検出されたアクセス要求に応答して、前記サブシステムの外部の前記構成要素への前記検出されたアクセス要求が、前記センサからの信号に基づいているかどうかを、前記プロセッサによって決定するための手段と、そうである場合に：
前記SoCを全電力状態に入らせるための手段と、
前記構成要素が前記サブシステムの外部にあることを前記プロセッサに通知する通知信号を前記プロセッサに送るための手段と、
前記少なくとも1つの処理サブシステムを、前記サブシステムが前記サブシステムの外部の前記構成要素にアクセスすることを可能にする第2のモードで動作させるための手段と、
前記サブシステムの外部の前記構成要素への前記検出されたアクセス要求に応答して、前記サブシステムの外部の前記構成要素への前記検出されたアクセス要求が、前記サブシステムのプロセッサ上または前記サブシステム内で動作している何らかのコードまたはルーチンにおけるエラーの結果であるかどうかを、前記プロセッサによって決定するための手段と、そうである場合に：
モニタモジュールからの受信された通知信号に応答して、前記サブシステムの前記プロセッサを用いてエラーを訂正しようと努めるためにエラー処理ルーチンを起動するための手段と
を備える、システム。
【請求項９】
前記SoCを全電力状態に入らせるための前記手段が、
前記サブシステムから前記SoCの電力マネージャに信号を送って、前記電力マネージャをアクティブにするための手段
をさらに含む、請求項8に記載のシステム。
【請求項１０】
前記サブシステムを前記第2のモードで動作させるための前記手段が、前記サブシステムの絶縁ハードウェアを無効にするための手段をさらに含む、請求項8に記載のシステム。
【請求項１１】
前記サブシステムの外部の前記構成要素がメモリである、請求項8に記載のシステム。
【請求項１２】
前記センサが、前記PCDの加速度計またはジャイロスコープのうちの少なくとも1つと通信している、請求項8に記載のシステム。
【手続補正書】
【提出日】平成30年8月1日(2018.8.1)
【手続補正１】
【補正対象書類名】特許請求の範囲
【補正対象項目名】全文
【補正方法】変更
【補正の内容】
【特許請求の範囲】
【請求項１】
健康特徴の測定を行うように構成された測定装置と；
測定装置から測定値を受信し、少なくとも１つのメモリ装置、プロセッサ、及びユーザインタフェースを含む、測定装置に通信で結合された処理装置であり、少なくとも１つのメモリ装置が、測定値及び健康管理アプリケーションのためのコンピュータ可読命令を記憶し、プロセッサが、健康管理アプリケーションを実行し、健康管理アプリケーションが、ユーザインタフェースを介して、測定値と関連した補足的な健康データを表示し、１つ以上の測定値と関連した補足的な健康データを受ける、処理装置と、
を含む糖尿病管理のためのシステムであって、
少なくとも１つのメモリ装置が、処方又はスケジュールを記憶し、健康管理アプリケーションが、処方又はスケジュールに従って測定を行い補足的な健康データを入力するようにユーザに指示する、
システム。
【請求項２】
少なくとも１つのメモリ装置が、スケジュールを記憶し、健康管理アプリケーションが、スケジュールに従って測定を行い補足的な健康データを入力するようにユーザに指示する、請求項１に記載のシステム。
【請求項３】
少なくとも１つのメモリ装置が、日付を記憶し、スケジュールが、日付に基づき日付の前までの期間定められる、請求項２に記載のシステム。
【請求項４】
日付が、健康管理提供者との予約に関する、請求項３に記載のシステム。
【請求項５】
少なくとも１つのメモリ装置が、スケジュールを記憶するシステムであって、少なくとも１つのメモリ装置が、複数の先行測定値を記憶して、スケジュールが、複数の先行測定値に基づいて定められる、請求項１に記載のシステム。
【請求項６】
少なくとも１つのメモリ装置が、処方を記憶し、処方が、日付、時間、事象、又はこれらの組み合わせに従って定められる、請求項１に記載のシステム。
【請求項７】
事象が、身体活動、薬物摂取量、炭水化物摂取量、又は任意のこれらの組み合わせを含む、請求項６に記載のシステム。
【請求項８】
測定装置が、処理装置と無線で通信する、請求項１に記載のシステム。
【請求項９】
少なくとも１つのメモリ装置が、複数の先行測定値を記憶して追加の補足的な健康データの事後登録のための１つ以上の先行測定値を特定し、健康管理アプリケーションが、事後に追加の補足的な健康データを登録するようにユーザに指示する、
請求項１に記載のシステム。
【請求項１０】
少なくとも１つのメモリ装置が、複数の先行測定値を記憶し、健康管理アプリケーションが、複数の先行測定値の分析に従って測定を行い補足的な健康データを入力するようにユーザに指示する、
請求項１に記載のシステム。
【請求項１１】
少なくとも１つのメモリ装置が、カレンダアプリケーションのためのコンピュータ可読命令及び対応するカレンダデータを記憶し、プロセッサが、カレンダアプリケーションを実行し、健康管理アプリケーションが、カレンダデータに基づいて補足的な健康データを入力するようにユーザに指示する、
請求項１に記載のシステム。
【手続補正書】
【提出日】平成30年8月23日(2018.8.23)
【手続補正１】
【補正対象書類名】特許請求の範囲
【補正対象項目名】全文
【補正方法】変更
【補正の内容】
【特許請求の範囲】
【請求項１】
ポリゴンメッシュを圧縮するシステムであって、
プロセッサと、エンコーダと、を備え、
前記プロセッサは、
トラバース順序に従って、ポリゴンメッシュ内の複数のポリゴンの頂点をトラバースすることであって、前記複数のポリゴンは複数の非三角形ポリゴンを含む、ことと、
前記複数の非三角形ポリゴンを含む前記ポリゴンメッシュを、前記トラバース順序に従って順序付けられたポリゴンのファンのセットに分割することであって、少なくとも１つの前記ポリゴンのファンは複数のポリゴンを有し、各ポリゴンのファンは、前記ポリゴンのファン内の１つ以上のポリゴンの対応する頂点によって定義されており、前記複数のポリゴンを有する少なくとも１つの前記ポリゴンのファンについて、前記少なくとも１つのポリゴンのファン内の前記複数のポリゴンの共通の頂点から前記トラバース順序が開始する、ことと、
前記トラバース順序に従って、前記順序付けられたポリゴンのファンのセット内の非三角形ポリゴンの各々を、前記共通の頂点から非三角形ポリゴンの各々の対応する頂点までの三角形にテッセレーションし、前記トラバース順序に従って順序付けられた三角形のファンのセットを生成することによって、前記複数の非三角形ポリゴンを含む前記ポリゴンメッシュを三角形メッシュに変換することと、を含む動作を実行するように構成されており、
前記エンコーダは、
前記三角形メッシュ及び前記順序付けられた三角形のファンのセットを受信し、前記三角形メッシュ及び前記順序付けられた三角形のファンのセットを用いて、前記ポリゴンメッシュを圧縮するように構成されている、
システム。
【請求項２】
少なくとも２つの非三角形ポリゴンは共通の辺を共有している、
請求項１のシステム。
【請求項３】
前記分割することは、
付随するポリゴンを前記ポリゴンのファンのセットのうち何れかのポリゴンのファンに追加することを含み、
前記共通の頂点は、前記ポリゴンのファンの中心頂点であり、
前記付随するポリゴンは、巡回されておらず、
前記付随するポリゴンは、前記ポリゴンのファン内で隣接するポリゴンと同じ向きを有しており、又は、前記ポリゴンのファン内で隣接するポリゴンを有していない、
請求項２のシステム。
【請求項４】
前記テッセレーションすることは、
前記少なくとも１つのポリゴンのファン内の少なくとも２つの非三角形ポリゴンについて、前記少なくとも２つの非三角形ポリゴンの共通の頂点と、前記少なくとも２つの非三角形ポリゴンのうち対応する非三角形ポリゴンの他の頂点との間に、前記他の頂点のトラバース順序に従って少なくとも１つの辺を挿入することを含む、
請求項１のシステム。
【請求項５】
前記プロセッサは、
前記テッセレーションに基づいて、三角形メッシュを前記エンコーダに出力すること、を含む動作を実行するように構成されている、
請求項１のシステム。
【請求項６】
前記プロセッサは、
前記テッセレーションに基づいて、前記順序付けられた三角形のファンのセットを出力すること、を含む動作を実行するように構成されている、
請求項１のシステム。
【請求項７】
前記プロセッサは、
前記トラバース順序に従って、前記複数のポリゴン毎の三角形の数に対応する値のシーケンスを生成することと、
前記ポリゴンのファンのセットのうち何れかのポリゴンのファン内の各ポリゴンの三角形の数を出力することと、を含む動作を実行するように構成されている、
請求項１のシステム。
【請求項８】
前記エンコーダは、
前記三角形メッシュ及び前記順序付けられた三角形のファンのセットを受信し、前記三角形メッシュ及び三角形のファンのセットを用いて前記ポリゴンメッシュを圧縮するように構成された第１エンコーダと、
前記値のシーケンスを受信して圧縮するように構成されたエントロピーエンコーダと、を備える、
請求項７のシステム。
【請求項９】
ポリゴンメッシュを圧縮する方法であって、
トラバース順序に従って、ポリゴンメッシュ内の複数のポリゴンの頂点をトラバースすることであって、前記複数のポリゴンは複数の非三角形ポリゴンを含む、ことと、
前記複数の非三角形ポリゴンを含む前記ポリゴンメッシュを、前記トラバース順序に従って順序付けられたポリゴンのファンのセットに分割することであって、少なくとも１つの前記ポリゴンのファンは複数のポリゴンを有し、各ポリゴンのファンは、前記ポリゴンのファン内の１つ以上のポリゴンの対応する頂点によって定義されており、前記複数のポリゴンを有する少なくとも１つの前記ポリゴンのファンについて、前記少なくとも１つのポリゴンのファン内の前記複数のポリゴンの共通の頂点から前記トラバース順序が開始する、ことと、
前記トラバース順序に従って、前記順序付けられたポリゴンのファンのセット内の非三角形ポリゴンの各々を、前記共通の頂点から非三角形ポリゴンの各々の対応する頂点までの三角形にテッセレーションし、前記トラバース順序に従って順序付けられた三角形のファンのセットを生成することによって、前記複数の非三角形ポリゴンを含む前記ポリゴンメッシュを三角形メッシュに変換することと、
前記三角形メッシュ及び前記順序付けられた三角形のファンのセットを用いて、前記ポリゴンメッシュを圧縮することと、を含む、
方法。
【請求項１０】
少なくとも２つの非三角形ポリゴンは共通の辺を共有している、
請求項９の方法。
【請求項１１】
前記分割することは、
付随するポリゴンを前記ポリゴンのファンのセットのうち何れかのポリゴンのファンに追加することを含み、
前記共通の頂点は、前記ポリゴンのファンの中心頂点であり、
前記付随するポリゴンは、巡回されておらず、
前記付随するポリゴンは、前記ポリゴンのファン内で隣接するポリゴンと同じ向きを有しており、又は、前記ポリゴンのファン内で隣接するポリゴンを有していない、
請求項１０の方法。
【請求項１２】
前記テッセレーションすることは、
前記少なくとも１つのポリゴンのファン内の少なくとも２つの非三角形ポリゴンについて、前記少なくとも２つの非三角形ポリゴンの共通の頂点と、前記少なくとも２つの非三角形ポリゴンのうち対応する非三角形ポリゴンの他の頂点との間に、前記他の頂点のトラバース順序に従って少なくとも１つの辺を挿入することを含む、
請求項９の方法。
【請求項１３】
前記テッセレーションに基づいて、三角形メッシュを前記エンコーダに出力すること、を含む、
請求項９の方法。
【請求項１４】
前記テッセレーションに基づいて、前記順序付けられた三角形のファンのセットを出力すること、を含む、
請求項９の方法。
【請求項１５】
前記トラバース順序に従って、前記複数のポリゴン毎の三角形の数に対応する値のシーケンスを生成することと、
前記ポリゴンのファンのセットのうち何れかのポリゴンのファン内の各ポリゴンの三角形の数を出力することと、を含み、
前記圧縮することは、
前記三角形メッシュ及び三角形のファンのセットを用いて前記ポリゴンメッシュを圧縮することと、
前記値のシーケンスを圧縮することと、を含む、
請求項９の方法。
【手続補正書】
【提出日】平成30年9月10日(2018.9.10)
【手続補正１】
【補正対象書類名】特許請求の範囲
【補正対象項目名】全文
【補正方法】変更
【補正の内容】
【特許請求の範囲】
【請求項１】
フォーカス・レンズ・アセンブリーを位置決めする方法であって、前記フォーカス・レンズ・アセンブリーはイメージ・センサーに対して光軸に沿って可動であり、当該方法は：
・前記フォーカス・レンズ・アセンブリーを機械的ストッパーに突き当たるよう動かす段階と；
・前記フォーカス・レンズ・アセンブリーを、前記機械的ストッパーからフレームの露光のためのフレーム焦点位置に動かす段階とを含み、
前記機械的ストッパーは前記フォーカス・レンズ・アセンブリーの焦点調整範囲外に位置される、
方法。
【請求項２】
前記フォーカス・レンズ・アセンブリーが、前記機械的ストッパーからフレーム焦点位置に動かされるのが、安定化期間後である、請求項１記載の方法。
【請求項３】
二つの逐次的なフレームの露光のための請求項１または２記載の方法であって、前記フォーカス・レンズ・アセンブリーは、第一のフレームの露光のための第一のフレーム焦点位置から前記機械的ストッパーに突き当たるよう、そして前記機械的ストッパーから第二のフレームの露光のための第二のフレーム焦点位置に動かされる、方法。
【請求項４】
ビデオ・シーケンスの複数の逐次的なフレームの露光のための請求項１ないし３のうちいずれか一項記載の方法であって、前記フォーカス・レンズ・アセンブリーは、二つの逐次的なフレーム毎の露光と露光の間に前記機械的ストッパーに突き当たるよう動かされる、方法。
【請求項５】
前記安定化期間の間に前記フォーカス・レンズ・アセンブリーを前記機械的ストッパーに突き当たるよう強制することを含む、請求項２記載の方法。
【請求項６】
イメージ・センサーと、
前記イメージ・センサーに対して光軸に沿って可動なフォーカス・レンズ・アセンブリーと、
機械的ストッパーと、
前記フォーカス・レンズ・アセンブリーを位置決めするためのアクチュエーターと、
フォーカス・レンズ・アセンブリー位置決め命令を提供するよう構成された焦点制御ユニットと、
前記焦点制御ユニットおよび前記アクチュエーターに結合されたドライバとを有するモバイル装置であって、前記ドライバは、
前記フォーカス・レンズ・アセンブリー位置決め命令を受領し、
前記フォーカス・レンズ・アセンブリー位置決め命令に従って、前記アクチュエーターに作動入力を提供するよう構成されており、前記フォーカス・レンズ・アセンブリー位置決め命令は、前記フォーカス・レンズ・アセンブリーを前記機械的ストッパーに突き当たるよう動かし、前記機械的ストッパーからフレームの露光のためのフレーム焦点位置に動かすための命令を含み、
前記機械的ストッパーは前記フォーカス・レンズ・アセンブリーの焦点調整範囲外に位置される、
モバイル装置。
【請求項７】
前記フォーカス・レンズ・アセンブリー位置決め命令は、安定化期間後に、前記フォーカス・レンズ・アセンブリーを前記機械的ストッパーから前記フレーム焦点位置に動かすための命令を含む、請求項６記載のモバイル装置。
【請求項８】
前記フォーカス・レンズ・アセンブリー位置決め命令は：
・前記フォーカス・レンズ・アセンブリーを第一のフレームの露光のための第一のフレーム焦点位置に保持し；
・前記フォーカス・レンズ・アセンブリーを前記第一のフレーム焦点位置から前記機械的ストッパーに突き当たるよう動かし；
・前記フォーカス・レンズ・アセンブリーを前記機械的ストッパーから第二のフレーム焦点位置に動かし、前記フォーカス・レンズ・アセンブリーを第二のフレームの露光のために前記第二のフレーム焦点位置に保持するための命令を含む、
請求項６記載のモバイル装置。
【請求項９】
前記フォーカス・レンズ・アセンブリー位置決め命令は、前記安定化期間の間、前記フォーカス・レンズ・アセンブリーを前記機械的ストッパーに突き当たっているよう強制するための命令を含む、請求項７記載のモバイル装置。
【請求項１０】
光軸に沿って可動なフォーカス・レンズ・アセンブリーと、
機械的ストッパーと、
前記フォーカス・レンズ・アセンブリーに結合されたアクチュエーターと、
ドライバとを有するイメージング要素であって、前記ドライバは、
フォーカス・レンズ・アセンブリー位置決め命令を受領し、
前記フォーカス・レンズ・アセンブリーを前記機械的ストッパーに突き当たるように、そして前記機械的ストッパーからフレームの露光のための、前記フォーカス・レンズ・アセンブリー位置決め命令によって定義されるフレーム焦点位置に動かすために作動入力を、前記アクチュエーターに供給するよう構成されており、
前記機械的ストッパーは前記フォーカス・レンズ・アセンブリーの焦点調整範囲外に位置される、
イメージング要素。
【請求項１１】
前記作動入力は、安定化期間後に、前記フォーカス・レンズ・アセンブリーを前記機械的ストッパーから前記フレーム焦点位置に動かすための作動入力を含む、請求項１０記載のイメージング要素。
【請求項１２】
デジタル・イメージ・センサーをさらに有する、請求項１０記載のイメージング要素。
【請求項１３】
デジタル・カメラ・モジュールとして形成されている、請求項１２記載のイメージング要素。
【請求項１４】
デジタル・カメラのための交換可能なレンズとして形成されている、請求項１０記載のイメージング要素。
【手続補正書】
【提出日】平成30年8月27日(2018.8.27)
【手続補正１】
【補正対象書類名】特許請求の範囲
【補正対象項目名】全文
【補正方法】変更
【補正の内容】
【特許請求の範囲】
【請求項１】
メカニカルアームの力、トルク、仕事率及び速度のうちの１つ以上を測定するための接着結合式の動力計であって、
前記メカニカルアームと接着結合するように前処理された第１の表面を有するプレートと、
前記接着結合式の動力計の配向に対応する配向で、前記第１の表面とは反対側の前記プレートの第２の表面と物理的に結合された少なくとも１つの歪みゲージであって、前記プレートが前記メカニカルアームに対して接着結合されたときにメカニカルアームから前記少なくとも１つの歪みゲージまで機械的力が伝達される、少なくとも１つの歪みゲージと、
前記少なくとも１つの歪みゲージからの信号を受信し、前記信号から力、トルク及び仕事率のうちの１つ以上を決定するための電子機器と、
受信装置に対して、力、トルク及び仕事率のうちの１つ以上を伝送するための無線送信機と、
を含み、
前記１つ以上の歪みゲージの配向が、影響、歪みからの結合、及び、前記メカニカルアームの曲げに寄与しない力、の１つ以上を除去するように選択される、
接着結合式の動力計。
【請求項２】
前記メカニカルアームの動きを検知するための少なくとも１つの慣性センサをさらに含み、前記電子機器が、検知された力及び検知された動きに基づいて仕事率を決定する、請求項１に記載の接着結合式の動力計。
【請求項３】
前記電子機器が、前記検知された動きに基づいて前記メカニカルアームの少なくとも角速度を決定する、請求項２に記載の接着結合式の動力計。
【請求項４】
前記少なくとも１つの慣性センサが、磁気リードスイッチ、加速度計、ジャイロスコープ及び磁力計からなる群から選択される、請求項２に記載の接着結合式の動力計。
【請求項５】
前記少なくとも１つの歪みゲージが、前記メカニカルアーム内の対象でない力、モーメント及びトルクに対する感度を削減するように配向されている、請求項１に記載の接着結合式の動力計。
【請求項６】
前記少なくとも１つの歪みゲージが、該少なくとも１つの歪みゲージのうちの他の歪みゲージに対して角度を成して配向されている、請求項１に記載の接着結合式の動力計。
【請求項７】
前記プレートが、或る方向で歪みに対して感度がより高いものとなるように形成されている、請求項１に記載の接着結合式の動力計。
【請求項８】
前記プレートが、方向性剛性を提供する整列された複合繊維を有する、請求項１に記載の接着結合式の動力計。
【請求項９】
前記プレートが、方向性剛性を提供するように焼結プラスチックで形成されている、請求項１に記載の接着結合式の動力計。
【請求項１０】
前記プレートが、せん断力の伝達を改善し且つ垂直方向圧縮力の伝達を削減する垂直方向ハニカム構造で形成されており、こうして前記メカニカルアームに対する表面欠陥の影響が軽減される、請求項１に記載の接着結合式の動力計。
【請求項１１】
前記プレートが、前記プレートの縁部において接着剤に作用するせん断応力を削減するために、テーパの付いた縁部厚みを有する、請求項１に記載の接着結合式の動力計。
【請求項１２】
前記プレートが、接着剤中の最大せん断応力を削減するために異なる材料を用いて剛性を増大させながら遷移する、請求項１に記載の接着結合式の動力計。
【請求項１３】
前記プレートが、接着剤に作用するせん断力を削減するためにジグザグ縁部を有する、請求項１に記載の接着結合式の動力計。
【請求項１４】
前記プレートが、前記少なくとも１つの歪みゲージの基板を形成する、請求項１に記載の接着結合式の動力計。
【請求項１５】
前記プレートが、前記少なくとも１つの歪みゲージの基板を形成すると共に前記メカニカルアームと直接結合するための構造を提供するポリアミド層である、請求項１４に記載の接着結合式の動力計。
【請求項１６】
前記プレートが、前記メカニカルアームと実質的に同じ熱膨張係数を有する材料で形成されている、請求項１に記載の接着結合式の動力計。
【請求項１７】
メカニカルアームに対して接着結合された動力計を用いて前記メカニカルアームの歪みを測定するための方法であって、
前記動力計の電子機器内で、前記動力計のプレートを介して前記メカニカルアームに機械的に結合された少なくとも１つの歪みゲージからの信号を受信するステップと、
前記信号に基づいて前記メカニカルアーム内の前記歪みを決定するステップと、
前記歪みを受信用デバイスに送信するステップと、
前記メカニカルアームに対し機械的に結合された少なくとも１つの慣性センサからの第２の信号を受信するステップと、
前記歪みに基づいて力及びトルクのうちの１つ以上を決定するステップと、
前記第２の信号に基づいて、前記メカニカルアームの速度を決定するステップと、
前記決定された力、前記決定されたトルク及び前記決定された速度のうちの１つ以上に基づいて、前記メカニカルアームに適用される仕事率を計算するステップと、
を含む方法。
【請求項１８】
メカニカルアームに対して接着結合された動力計を用いて前記メカニカルアームの歪みを測定するための方法であって、
前記動力計の電子機器内で、前記動力計のプレートを介して前記メカニカルアームに機械的に結合された少なくとも１つの歪みゲージからの信号を受信するステップと、
前記信号に基づいて前記メカニカルアーム内の前記歪みを決定するステップと、
前記歪みを受信用デバイスに送信するステップと、
前記メカニカルアームに適用された既知の力に基づいて、前記力の測定値を自己較正するステップと、
を含む方法。
【手続補正書】
【提出日】平成30年5月18日(2018.5.18)
【手続補正１】
【補正対象書類名】特許請求の範囲
【補正対象項目名】請求項６
【補正方法】変更
【補正の内容】
【請求項６】
該周辺カメラ（６）が、ステレオ・カメラとして構成されている
ことを特徴とする請求項１から５のうち何れか一項に記載のドライバー・アシスタント・システム（２）。
【手続補正書】
【提出日】平成30年7月17日(2018.7.17)
【手続補正１】
【補正対象書類名】特許請求の範囲
【補正対象項目名】全文
【補正方法】変更
【補正の内容】
【特許請求の範囲】
【請求項１】
サーバデバイスにおいて、クラウドソーシング観測値を取得するための候補として少なくとも１つのソースを識別する第１のメッセージをモバイルデバイスから受信することと、
前記少なくとも１つのソースのために許可されるクラウドソーシング観測値のレベルを決定することと、を備え、
クラウドソーシングが前記少なくとも１つのソースのために許可されるのか、許可されないのか、または制限付きで許可されるのかを示す第２のメッセージを前記モバイルデバイスに送信することによって特徴付けられる、
方法。
【請求項２】
モバイルデバイスにおいて、クラウドソーシング観測値を取得するための候補として少なくとも１つのソースを識別する第１のメッセージを送信することを備え、
クラウドソーシングが前記少なくとも１つのソースのために許可されるのか、許可されないのか、または制限付きで許可されるのかを示す第２のメッセージを受信することによって特徴付けられる、
方法。
【請求項３】
前記第１のメッセージが、アクセスポイントについての識別情報、フェムトセルについての識別情報、前記モバイルデバイスのための地理的ロケーション、前記モバイルデバイスのためのロケーション履歴、地理的エリア、あるタイプのアクセスポイント、ネットワーク事業者の識別情報、ベニューの識別情報、あるタイプのフェムトセル、またはそれらの任意の組合せのうちの少なくとも１つを使用して前記少なくとも１つのソースを識別する、請求項１または２に記載の方法。
【請求項４】
前記第１のメッセージを受信するより前に前記モバイルデバイスに第３のメッセージを送信すること、前記第３のメッセージが、前記クラウドソーシング観測値を取得するための暫定ソースとして前記少なくとも１つのソースを指定する、
をさらに備える、請求項１に記載の方法。
【請求項５】
データベースに第４のメッセージを送信することと、前記第４のメッセージが、前記少なくとも１つのソースに関係するプライバシー情報についての要求を備える、
前記プライバシー情報を備える前記データベースから第５のメッセージを受信することと、ここにおいて、前記少なくとも１つのソースのために許可されるクラウドソーシング観測値の前記レベルを前記決定することが、前記第５のメッセージ中の前記プライバシー情報に少なくとも部分的に基づく、
をさらに備える、請求項１に記載の方法。
【請求項６】
前記少なくとも１つのソースに関係する追加情報についての要求を備える第６のメッセージを前記モバイルデバイスに送信することと、
前記追加情報を備える第７のメッセージを受信することと、ここにおいて、前記少なくとも１つのソースのために許可されるクラウドソーシング観測値の前記レベルを前記決定することが、前記第７のメッセージ中の前記追加情報に少なくとも部分的に基づく、ここにおいて、前記第６のメッセージが、前記第１のメッセージを受信した後に送られる、
をさらに備える、請求項１に記載の方法。
【請求項７】
前記第７のメッセージ中の前記追加情報が、アクセスポイントについての識別情報、フェムトセルについての識別情報、前記モバイルデバイスのための地理的ロケーション、前記モバイルデバイスのためのロケーション履歴、地理的エリア、あるタイプのアクセスポイント、あるタイプのフェムトセル、ネットワーク事業者の識別情報、ベニューの識別情報、またはそれらの任意の組合せのうちの少なくとも１つを備える、請求項６に記載の方法。
【請求項８】
前記少なくとも１つのソースが、ＩＥＥＥ８０２．１１  Ｗｉ−Ｆｉ（登録商標）アクセスポイント、Ｂｌｕｅｔｏｏｔｈ（登録商標）アクセスポイント、Ｂｌｕｅｔｏｏｔｈ  Ｌｏｗ  Ｅｎｅｒｇｙ（ＢＴＬＥ）アクセスポイント、ＬＴＥフェムトセル、地理的エリア、またはそれらの任意の組合せのうちの少なくとも１つを備える、請求項１または２に記載の方法。
【請求項９】
前記少なくとも１つのソースが、媒体アクセス制御（ＭＡＣ）アドレス、セルグローバル識別子、ロケーション、またはそれらの任意の組合せのうちの少なくとも１つを介して識別される、請求項１または２に記載の方法。
【請求項１０】
前記サーバデバイスが、セキュアユーザプレーンロケーション（ＳＵＰＬ）ロケーションプラットフォーム（ＳＬＰ）を備える、請求項１に記載の方法。
【請求項１１】
前記第１のメッセージと前記第２のメッセージとが、ＳＵＰＬセッション、ＬＴＥ測位プロトコル（ＬＰＰ）、ＬＰＰ拡張（ＬＰＰｅ）プロトコル、またはそれらの任意の組合せのうちの少なくとも１つを使用して送信される、請求項１に記載の方法。
【請求項１２】
前記モバイルデバイスが、セキュアユーザプレーンロケーション（ＳＵＰＬ）対応端末（ＳＥＴ）を備える、請求項２に記載の方法。
【請求項１３】
クラウドソーシング観測値を取得するための候補として少なくとも１つのソースを識別する第１のメッセージをモバイルデバイスから受信するための手段と、
前記少なくとも１つのソースのために許可されるクラウドソーシング観測値のレベルを決定するための手段と、を備え、
クラウドソーシングが前記少なくとも１つのソースのために許可されるのか、許可されないのか、または制限付きで許可されるのかを示す第２のメッセージを前記モバイルデバイスに送信するための手段によって特徴付けられる、
装置。
【請求項１４】
クラウドソーシング観測値を取得するための候補として少なくとも１つのソースを識別する第１のメッセージを送信するための手段を備え、
クラウドソーシングが前記少なくとも１つのソースのために許可されるのか、許可されないのか、または制限付きで許可されるのかを示す第２のメッセージを受信するための手段によって特徴付けられる、
装置。
【手続補正書】
【提出日】平成30年10月18日(2018.10.18)
【手続補正１】
【補正対象書類名】特許請求の範囲
【補正対象項目名】全文
【補正方法】変更
【補正の内容】
【特許請求の範囲】
【請求項１】
対象における腎臓状態を評価する方法であって、
１つまたは複数のアッセイ結果を得るために、前記対象から得られた体液試料のＣ−Ｃモチーフケモカイン１６を検出するように構成されたアッセイ方法、Ｃ−Ｃモチーフケモカイン１４を検出するように構成されたアッセイ方法、および／またはチロシンプロテインキナーゼ受容体ＵＦＯを検出するように構成されたアッセイ方法を実施すること；ならびに
前記アッセイ結果を前記対象の前記腎臓状態に相関させること、
を含む、方法。
【手続補正書】
【提出日】平成30年10月22日(2018.10.22)
【手続補正１】
【補正対象書類名】特許請求の範囲
【補正対象項目名】全文
【補正方法】変更
【補正の内容】
【特許請求の範囲】
【請求項１】
動物及び／又はヒトにおけるウイルス感染症に起因する下痢の治療又は予防のために用いられる、少なくとも、スパニッシュタイプカルチャーコレクションに受託番号ＣＥＣＴ８７００（ＡｑＳｙｎＲＭＨ６９）で寄託された株を含む組成物。
【請求項２】
少なくとも１つの微生物株を更に含み、更なる株が各々、菌叢上スポットアッセイにより決定される阻止帯によって証明される以下の抗菌活性：（ｉ）サルモネラ菌について１０ｍｍ以上の阻止帯、（ｉｉ）リステリア・モノサイトゲネスについて９ｍｍ以上の阻止帯、（ｉｉｉ）スタフィロコッカス・アウレウスについて９ｍｍ以上の阻止帯、（ｉｖ）エシェリキア・コリについて１０ｍｍ以上の阻止帯の少なくとも１つを有する、請求項１に記載の組成物。
【請求項３】
前記少なくとも１つの更なる株が、ラクトバチルス、ロイコノストック、ペディオコッカス、ラクトコッカス、ストレプトコッカス、アエロコッカス、カルノバクテリウム、エンテロコッカス、オエノコッカス、スポロラクトバチルス、テトラジェノコッカス、バゴコッカス及び／又はワイセラの属に属する株から選択される、請求項２に記載の組成物。
【請求項４】
スパニッシュタイプカルチャーコレクションに受託番号ＣＥＣＴ８３５０（ＡｑＳｙｎＪ５９）で寄託された株を更に含む、請求項１〜３のいずれか一項に記載の組成物。
【請求項５】
前記組成物が２つの微生物株を含み、前記２つの微生物は、スパニッシュタイプカルチャーコレクションに受託番号ＣＥＣＴ８７００（ＡｑＳｙｎＲＭＨ６９）で寄託された株、及びスパニッシュタイプカルチャーコレクションに受託番号ＣＥＣＴ８３５０（ＡｑＳｙｎＪ５９）で寄託された株である、請求項４に記載の組成物。
【請求項６】
両方の株が前記組成物中２：１〜１：２の比率（コロニー形成単位（ＣＦＵ）で示される）で存在する、請求項５に記載の組成物。
【請求項７】
前記組成物に含まれる少なくとも１つの株が抗生物質耐性を有さない、請求項１〜６のいずれか一項に記載の組成物。
【請求項８】
前記組成物に含まれる少なくとも１つの株が、ｐＨ３．５で３時間のインキュベーションの間に実質的に同じ生存率を保持することができ、
ｐＨ＝３．５で３時間のインキュベーション後に、該インキュベーション前と比較して、少なくとも５０％のＣＦＵが存在する場合に、実質的に同じ生存率を保持することができる、請求項１〜７のいずれか一項に記載の組成物。
【請求項９】
前記組成物に含まれる少なくとも１つの株が、０．４５％の胆汁抽出物の存在下で４時間のインキュベーションの間に実質的に同じ生存率を保持することができ、
ｐＨ＝８で０．４５％の胆汁抽出物の存在下での４時間のインキュベーション後に、該インキュベーション前と比較して、少なくとも５０％のＣＦＵが存在する場合に、実質的に同じ生存率を保持することができる、請求項１〜８のいずれか一項に記載の組成物。
【請求項１０】
前記組成物に含まれる少なくとも１つの株が、菌叢上スポットアッセイにより決定される阻止帯によって証明される以下の抗菌活性：（ｉ）サルモネラ菌について１０ｍｍ以上の阻止帯、（ｉｉ）リステリア・モノサイトゲネスについて９ｍｍ以上の阻止帯、（ｉｉｉ）スタフィロコッカス・アウレウスについて９ｍｍ以上の阻止帯、（ｉｖ）エシェリキア・コリについて１０ｍｍ以上の阻止帯の全てを有する、請求項１〜９のいずれか一項に記載の組成物。
【請求項１１】
動物及び／又はヒトのウイルス感染症に起因する下痢を治療又は予防する方法のために用いられる、微生物の混合物を含む組成物であって、前記微生物がラクトバチルス・プランタルム及びラクトバチルス・ロイテリの種に属し、任意に、ラクトバチルス（ラクトバチルス・ファーメンタムＣＥＣＴ８３４７（ＡｑＳｙｎＪ１２）及びラクトバチルス・ムコサエＣＥＣＴ８３４９（ＡｑＳｙｎＪ５５）の微生物を除く）、ロイコノストック、ペディオコッカス、ラクトコッカス、ストレプトコッカス、アエロコッカス、カルノバクテリウム、エンテロコッカス、オエノコッカス、スポロラクトバチルス、テトラジェノコッカス、バゴコッカス、及び／又はワイセラの属に属する少なくとも１つの微生物を含み、前記微生物が、菌叢上スポットアッセイにより決定される阻止帯によって証明される以下の抗菌活性：（ｉ）サルモネラ菌について１０ｍｍ以上の阻止帯、（ｉｉ）リステリア・モノサイトゲネスについて９ｍｍ以上の阻止帯、（ｉｉｉ）スタフィロコッカス・アウレウスについて９ｍｍ以上の阻止帯、（ｉｖ）エシェリキア・コリについて１０ｍｍ以上の阻止帯の少なくとも１つを有する、組成物。
【請求項１２】
スパニッシュタイプカルチャーコレクションに受託番号ＣＥＣＴ８７００（ＡｑＳｙｎＲＭＨ６９）で寄託された株。
【請求項１３】
少なくとも請求項１２に記載される株を含む組成物。
【請求項１４】
スパニッシュタイプカルチャーコレクションに受託番号ＣＥＣＴ８３５０（ＡｑＳｙｎＪ５９）で寄託された株を更に含む、請求項１３に記載の組成物。
【手続補正書】
【提出日】平成30年10月16日(2018.10.16)
【手続補正１】
【補正対象書類名】特許請求の範囲
【補正対象項目名】全文
【補正方法】変更
【補正の内容】
【特許請求の範囲】
【請求項１】
ペグ化Ｉ型インターフェロンを含む、感染性疾患、癌又は骨髄増殖性疾患を治療するための組成物であって、それを必要とする被験体に、５０μｇ〜５４０μｇ用量の該ペグ化Ｉ型インターフェロンが治療期間にわたって３週間〜８週間の一定間隔で投与されることを特徴とする組成物。
【請求項２】
前記ペグ化Ｉ型インターフェロンが式Ｉ：
【化１】
2017533192.tif 000001
（式中、
Ｒ１、Ｒ２、Ｒ３、Ｒ４及びＲ５は各々独立してＨ、Ｃ１〜５アルキル、Ｃ２〜５アルケニル、Ｃ２〜５アルキニル、アリール、ヘテロアリール、Ｃ３〜８シクロアルキル又はＣ３〜８ヘテロシクロアルキルであり、
Ａ１及びＡ２は各々独立してポリマー部分であり、
Ｇ１、Ｇ２及びＧ３は各々独立して結合又は連結官能基であり、
Ｐはインターフェロン−α部分であり、
ｍは０又は１〜１０の整数であり、
ｎは１〜１０の整数である）のコンジュゲートである、請求項１に記載の組成物。
【請求項３】
前記コンジュゲートが、
【化２】
2017533192.tif 000002
（式中、ｍＰＥＧは２０ｋＤの分子量を有し、ＩＦＮはインターフェロン−α２ｂである）である、請求項２に記載の組成物。
【請求項４】
前記骨髄増殖性疾患が骨髄増殖性腫瘍（ＭＰＮ）、好酸球増多症及びＰＤＧＦＲＡ、ＰＤＧＦＲＢ若しくはＦＧＦＲ１の異常を伴う骨髄系若しくはリンパ系腫瘍、骨髄異形成若しくは骨髄増殖性腫瘍（ＭＤＳ／ＭＰＮ）、骨髄異形成症候群（ＭＤＳ）、急性骨髄性白血病及び関連腫瘍、系統不明な急性白血病又はＢリンパ芽球性白血病／リンパ腫である、請求項１〜３のいずれか一項に記載の組成物。
【請求項５】
前記骨髄増殖性疾患が骨髄線維症、真性赤血球増加症又は本態性血小板血症である、請求項４に記載の組成物。
【請求項６】
前記間隔が４週間〜８週間である、請求項５に記載の組成物。
【請求項７】
前記間隔が４週間である、請求項６に記載の組成物。
【請求項８】
前記治療期間が少なくとも２ヶ月〜１２ヶ月である、請求項５〜７のいずれか一項に記載の組成物。
【請求項９】
前記治療期間が少なくとも１２ヶ月である、請求項８に記載の組成物。
【請求項１０】
一定用量の前記ペグ化Ｉ型インターフェロンが投与されることをさらに特徴とする、請求項１〜９のいずれか一項に記載の組成物。
【請求項１１】
前記被験体が、以前に少なくとも２ヶ月〜１２ヶ月にわたって１週間に１回のＩ型インターフェロンの投与を受けている、請求項１〜１０のいずれか一項に記載の組成物。
【請求項１２】
前記被験体が、以前に少なくとも２ヶ月〜１２ヶ月にわたって１週間に１回の１２．５μｇ〜２５μｇ用量のＩ型インターフェロンの投与を受けている、請求項１１に記載の組成物。
【請求項１３】
ペグ化Ｉ型インターフェロンを含む、骨髄増殖性疾患を治療するための組成物であって、
それを必要とする被験体に、５０μｇ〜５４０μｇ用量の該ペグ化Ｉ型インターフェロンが第１の治療期間にわたって１週間〜４週間の第１の一定間隔で投与され、
前記被験体に、５０μｇ〜５４０μｇ用量の前記ペグ化Ｉ型インターフェロンが第２の治療期間にわたって３週間〜８週間の第２の一定間隔で投与されることを特徴とする、組成物。
【請求項１４】
前記ペグ化Ｉ型インターフェロンが式Ｉ：
【化３】
2017533192.tif 000003
（式中、
Ｒ１、Ｒ２、Ｒ３、Ｒ４及びＲ５は各々独立してＨ、Ｃ１〜５アルキル、Ｃ２〜５アルケニル、Ｃ２〜５アルキニル、アリール、ヘテロアリール、Ｃ３〜８シクロアルキル又はＣ３〜８ヘテロシクロアルキルであり、
Ａ１及びＡ２は各々独立してポリマー部分であり、
Ｇ１、Ｇ２及びＧ３は各々独立して結合又は連結官能基であり、
Ｐはインターフェロン−α部分であり、
ｍは０又は１〜１０の整数であり、
ｎは１〜１０の整数である）のコンジュゲートである、請求項１３に記載の組成物。
【請求項１５】
前記コンジュゲートが、
【化４】
2017533192.tif 000004
（式中、ｍＰＥＧは２０ｋＤの分子量を有し、ＩＦＮはインターフェロン−α２ｂである）である、請求項１４に記載の組成物。
【請求項１６】
前記骨髄増殖性疾患が骨髄線維症、真性赤血球増加症又は本態性血小板血症である、請求項１５に記載の組成物。
【請求項１７】
前記第２の治療期間において所与の期間当たりに前記被験体に投与される前記ペグ化Ｉ型インターフェロンの総量が、前記第１の治療期間において所与の期間当たりに投与される総量よりも低い、請求項１３〜１６のいずれか一項に記載の組成物。
【請求項１８】
前記第１の治療期間を、前記被験体が（ｉ）少なくとも１つの血液学的パラメーターの正常化、及び／又は（ｉｉ）ＪＡＫ２Ｖ６１７Ｆ変異量の少なくとも５０％の低減を示すまで継続する、請求項１７に記載の組成物。
【請求項１９】
前記少なくとも１つの血液学的パラメーターがヘマトクリット値、白血球数（ＷＢＣ）又は血小板数である、請求項１８に記載の組成物。
【請求項２０】
前記ヘマトクリット値が４５％未満であり、前記ＷＢＣが１０×１０９／Ｌ以下であり、前記血小板数が４００×１０９／Ｌ以下である、請求項１９に記載の組成物。
【請求項２１】
前記第１の間隔が１週間〜２週間である、請求項２０に記載の組成物。
【請求項２２】
前記第２の間隔が４週間である、請求項２１に記載の組成物。
【請求項２３】
前記第２の治療期間が少なくとも２ヶ月〜１２ヶ月である、請求項１３〜２２のいずれか一項に記載の組成物。
【請求項２４】
前記第１の治療期間が少なくとも２ヶ月〜１２ヶ月である、請求項１３〜２３のいずれか一項に記載の組成物。
【請求項２５】
一定用量の前記ペグ化Ｉ型インターフェロンが前記第１の治療期間中に投与される、請求項１３〜２４のいずれか一項に記載の組成物。
【請求項２６】
一定用量の前記ペグ化Ｉ型インターフェロンが前記第２の治療期間中に投与される、請求項１３〜２５のいずれか一項に記載の組成物。
【請求項２７】
前記第２の治療期間中に投与される一定用量が、前記第１の治療期間中に投与される一定用量よりも低い、請求項２５又は２６に記載の組成物。
【請求項２８】
前記第１の治療期間及び前記第２の治療期間中に同じ一定用量が投与される、請求項２５又は２６に記載の組成物。